(57)【要約】【課題】消費電力が小さな構成の電圧検出回路を提供する。【解決手段】電圧検出部１３はコンデンサＣ0の端子電圧Ｖ0がＭＣＵ１６及び無線ＩＣ１７が動作する所定の電圧以上になったか否かをダイオードＤ0の順方向電圧ＶFを利用して検出する。コンパレータＵ0は、非反転入力端子に印加されるダイオードＤ0のカソードの電圧Ｖ2を参照電圧とし、その参照電圧が反転入力端子に印加される抵抗分圧電圧Ｖ1以上であるかどうかを電圧比較しており、参照電圧Ｖ2が抵抗分圧電圧Ｖ1以上となった時、ハイレベルの検出電圧Ｖ3を出力する。抵抗Ｒ1、抵抗Ｒ2及び感温抵抗器ＲTは抵抗分圧回路を構成し、感温抵抗器ＲTは負の温度特性を有し、ダイオードＤ0の順方向電圧ＶFの温度依存性の影響をできるだけ低減する。【選択図】図１
2015040773.tif 000002
【特許請求の範囲】
【請求項１】
一以上の抵抗と感温抵抗器とからなり、値が変化する入力直流電圧を抵抗分圧して第１の電圧を出力する抵抗分圧回路と、
前記入力直流電圧が供給されるダイオードと、
前記入力直流電圧から前記ダイオードの順方向電圧を減じた値の第２の電圧を参照電圧として前記第１の電圧と比較し、前記参照電圧が前記第１の電圧以上となったか否かを示す検出電圧を出力するコンパレータと
を備え、前記感温抵抗器は前記ダイオードの順方向電圧の温度依存性を低減するために設けられていることを特徴とする電圧検出回路。
【請求項２】
前記抵抗分圧回路は、前記入力直流電圧が供給される正側端子と負側端子の二端子間に直列に接続された第１及び第２の抵抗と前記感温抵抗器とからなり、前記感温抵抗器は負の温度特性を有し、前記第１の抵抗と前記感温抵抗器及び前記第２の抵抗からなる直列回路との接続点から前記第１の電圧を出力する構成であることを特徴とする請求項１記載の電圧検出回路。
【請求項３】
前記抵抗分圧回路は、前記入力直流電圧が供給される正側端子と負側端子の二端子間に直列に接続された第１の抵抗と前記感温抵抗器とからなり、前記感温抵抗器は正の温度特性を有し、前記第１の抵抗と前記感温抵抗器との接続点から前記第１の電圧を出力する構成であることを特徴とする請求項１記載の電圧検出回路。
【請求項４】
前記抵抗分圧回路は、前記入力直流電圧が供給される正側端子と負側端子の二端子間に直列に接続された少なくとも２つの前記感温抵抗器からなり、２つの前記感温抵抗器のうち一端が前記正側端子に接続された感温抵抗器は正の温度特性を有し、一端が前記負側端子に接続された感温抵抗器は負の温度特性を有し、２つの前記感温抵抗器の接続点から前記第１の電圧を出力する構成であることを特徴とする請求項１記載の電圧検出回路。
【請求項５】
前記入力直流電圧が供給される正側端子と負側端子の二端子間において前記ダイオードのカソードに接続されたタイマ回路を更に有し、
前記タイマ回路は、
前記ダイオードの順方向電流により充電される充放電用コンデンサと、前記ダイオードの逆バイアス時に前記充放電用コンデンサの充電電荷を放電するための抵抗とから構成されており、前記充放電用コンデンサの容量値と前記抵抗の抵抗値とにより定まる放電時定数は、前記コンパレータが、前記参照電圧が前記第１の電圧以上となった時に出力する検出電圧が動作用電源電圧として印加される外部装置が、前記動作用電源電圧の印加により所定の動作を開始してその動作が完了するまでの期間よりも長い期間、前記参照電圧が前記第１の電圧以上である状態を継続するように設定されていることを特徴とする請求項１乃至４のうちいずれか一項記載の電圧検出回路。
【発明の詳細な説明】
【技術分野】
【０００１】
本発明は電圧検出回路に係り、特にダイオードの順方向電圧を参照電圧として利用した電圧検出回路に関する。
【背景技術】
【０００２】
発電した電力をコンデンサなどに充電し、使用できる電圧まで増加したかを判断する用途やその他各種の用途に、電圧を検出する電圧検出回路が用いられている。この種の電圧検出回路として、被検出電圧を半導体のバンドギャップ電圧を用いた参照電圧と比較して検出する構成の電圧検出回路が従来知られている(例えば、特許文献１参照)。
【先行技術文献】
【特許文献】
【０００３】
【特許文献１】特開２００９−２９６７１４号公報
【発明の概要】
【発明が解決しようとする課題】
【０００４】
しかしながら、上記の従来の電圧検出回路は半導体のバンドギャップ電圧を利用するため、消費電力が大きいという問題がある。
【０００５】
本発明は上記の点に鑑みなされたもので、消費電力が小さな構成の電圧検出回路を提供することを目的とする。
【課題を解決するための手段】
【０００６】
上記の目的を達成するため、本発明の電圧検出回路は、一以上の抵抗と感温抵抗器とからなり、値が変化する入力直流電圧を抵抗分圧して第１の電圧を出力する抵抗分圧回路と、前記入力直流電圧が供給されるダイオードと、前記入力直流電圧から前記ダイオードの順方向電圧を減じた値の第２の電圧を参照電圧として前記第１の電圧と比較し、前記参照電圧が前記第１の電圧以上となったか否かを示す検出電圧を出力するコンパレータとを備え、前記感温抵抗器は前記ダイオードの順方向電圧の温度依存性を低減するために設けられていることを特徴とする。
【０００７】
また、上記の目的を達成するため、本発明は上記の抵抗分圧回路が、前記入力直流電圧が供給される正側端子と負側端子の二端子間に直列に接続された第１及び第２の抵抗と前記感温抵抗器とからなり、前記感温抵抗器は負の温度特性を有し、前記第１の抵抗と前記感温抵抗器及び前記第２の抵抗からなる直列回路との接続点から前記第１の電圧を出力する構成であることを特徴とする。
【０００８】
また、上記の目的を達成するため、本発明は上記の抵抗分圧回路が、前記入力直流電圧が供給される正側端子と負側端子の二端子間に直列に接続された第１の抵抗と前記感温抵抗器とからなり、前記感温抵抗器は正の温度特性を有し、前記第１の抵抗と前記感温抵抗器との接続点から前記第１の電圧を出力する構成であることを特徴とする。
【０００９】
また、上記の目的を達成するため、本発明は上記の抵抗分圧回路が、前記入力直流電圧が供給される正側端子と負側端子の二端子間に直列に接続された少なくとも２つの前記感温抵抗器からなり、２つの前記感温抵抗器のうち一端が前記正側端子に接続された感温抵抗器は正の温度特性を有し、一端が前記負側端子に接続された感温抵抗器は負の温度特性を有し、２つの前記感温抵抗器の接続点から前記第１の電圧を出力する構成であることを特徴とする。
【００１０】
また、上記の目的を達成するため、本発明は前記入力直流電圧が供給される正側端子と負側端子の二端子間において前記ダイオードのカソードに接続されたタイマ回路を更に有し、前記タイマ回路は、前記ダイオードの順方向電流により充電される充放電用コンデンサと、前記ダイオードの逆バイアス時に前記充放電用コンデンサの充電電荷を放電するための抵抗とから構成されており、前記充放電用コンデンサの容量値と前記抵抗の抵抗値とにより定まる放電時定数は、前記コンパレータが、前記参照電圧が前記第１の電圧以上となった時に出力する検出電圧が動作用電源電圧として印加される外部装置が、前記動作用電源電圧の印加により所定の動作を開始してその動作が完了するまでの期間よりも長い期間、前記参照電圧が前記第１の電圧以上である状態を継続するように設定されていることを特徴とする。上記外部装置としては無線送信装置などがある。
【発明の効果】
【００１１】
本発明によれば、消費電力の小さなダイオードの順方向電圧を利用した参照電圧を用いることで、半導体のバンドギャップ電圧を参照電圧とする構成の従来の電圧検出回路と比較して消費電力を低減できる。
【図面の簡単な説明】
【００１２】
【図１】本発明に係る電圧検出回路の一実施形態を適用した無線センサ端末の回路図である。
【図２】ダイオードの順方向電圧対温度特性の一例を示す図である。
【図３】図１中の電圧Ｖ2の温度依存性を説明する図である。
【図４】感温抵抗器ＲTの温度対抵抗値特性の一例を示す図である。
【図５】図１中の電圧Ｖ1の温度特性を示す図である。
【図６】図１の動作説明用タイミングチャートである。
【図７】図１の電圧検出部の他の例の回路図である。
【図８】図１の電圧検出部の更に他の例の回路図である。
【発明を実施するための形態】
【００１３】
図１は、本発明に係る電圧検出回路の一実施形態を適用した無線センサ端末の回路図を示す。図１に示す無線センサ端末１０は、入力部１１、整流回路部１２、電圧検出部１３及び無線送信部１４からなり、入力部１１により入力交流信号を検出するセンサ機能と、センサ機能の検出結果を無線送信部１４から外部へ無線送信する無線送信機能とを備える構成である。
【００１４】
入力部１１はトランスである電流変換器(ＣＴ；Current Transformer)とその二次側に接続された抵抗Ｒ0とからなり、例えば電力線に流れる交流電流を検出し、入力交流電圧として整流回路部１２に供給する。整流回路部１２はコッククロフト・ウォルトン回路１５と電圧保持用コンデンサＣ0とからなる。コッククロフト・ウォルトン回路１５は、コンデンサとダイオードとを多段に接続した回路で、入力交流電圧を高電圧の直流電圧Ｖ0に整流する低消費電力の公知の昇圧及び整流回路である。コッククロフト・ウォルトン回路１５は、出力電圧Ｖ0をコッククロフト・ウォルトン回路１５の二つの出力端子間に接続されたコンデンサＣ0に印加し充電し、保持(蓄電)させる。従って、コンデンサＣ0の端子電圧Ｖ0は、入力部１１より入力された交流電流の値に対応した電圧値である。
【００１５】
電圧検出部１３は、本発明の電圧検出回路の一実施形態を構成する回路部で、コンデンサＣ0の端子電圧Ｖ0が所定の電圧以上になったか否かを、消費電力の小さなダイオードＤ0の順方向電圧ＶFを利用した参照電圧を用いて検出する。電圧検出部１３は、コンパレータＵ0、ダイオードＤ0、感温抵抗器ＲT、抵抗Ｒ1、Ｒ2、Ｒ3及びコンデンサＣ1からなる。コンパレータＵ0は、その非反転入力端子がダイオードＤ0を逆方向に介してコッククロフト・ウォルトン回路１５の正側出力端子に接続される一方、抵抗Ｒ3及びコンデンサＣ1からなる並列回路を介してコッククロフト・ウォルトン回路１５の負側出力端子に接続されている。また、コンパレータＵ0は、その反転入力端子が抵抗Ｒ1を介してコッククロフト・ウォルトン回路１５の正側出力端子に接続される一方、抵抗Ｒ2及び感温抵抗器ＲTからなる直列回路を介してコッククロフト・ウォルトン回路１５の負側出力端子に接続されている。抵抗Ｒ1、抵抗Ｒ2及び感温抵抗器ＲTは抵抗分圧回路を構成している。抵抗Ｒ1及びＲ2は低消費電力のため、１０ＭΩ以上の高抵抗値のものが使用される。ここでは、一例として抵抗Ｒ1及びＲ2の各抵抗値は１０ＭΩに設定されている。
【００１６】
コンパレータＵ0は、コンデンサＣ0の端子電圧Ｖ0が電源電圧として印加され、端子電圧Ｖ0からダイオードＤ0の順方向電圧ＶFを減じた値のダイオードＤ0のカソードの電圧Ｖ2を参照電圧とし、その参照電圧が端子電圧Ｖ0を抵抗Ｒ1、抵抗Ｒ2及び感温抵抗器ＲTからなる抵抗分圧回路により抵抗分圧した電圧Ｖ1以上であるかどうかを検出し、その検出結果を示す電圧Ｖ3を出力する。なお、抵抗Ｒ3及びコンデンサＣ1からなる並列回路は、後述するタイマ回路を構成している。
【００１７】
無線送信部１４は、マイクロコントロールユニット(ＭＣＵ：Micro Control Unit)１６及び無線ＩＣ(ＲＦＩＣ：Radio Frequency Integrated Circuit)１７からなり、ダイオードＤ0のカソード電圧(参照電圧)Ｖ2が電圧Ｖ1以上であるときコンパレータＵ0から出力される所定電圧以上の検出電圧Ｖ3が動作用電源電圧として印加されることにより動作を開始し、所定のフォーマットの送信信号を予め定められた無線周波数で送信する。
【００１８】
ここで、電圧検出部１３はコンデンサＣ0の端子電圧Ｖ0がＭＣＵ１６及び無線ＩＣ１７が動作する所定の電圧以上になったか否かをダイオードＤ0の順方向電圧ＶFを利用して検出する。ダイオードＤ0の消費電力は、順方向電圧ＶFと順方向電流との積で表される。この順方向電流は抵抗Ｒ3により１０ｎＡ程度にすることで、消費電力を抑えることが可能である。ただし、順方向電圧ＶFには温度依存性がある(一般的には−２ｍＶ／℃程度)ので、温度依存性による影響を極力低減するため、本実施形態では感温抵抗器ＲTを用いている。
【００１９】
図２は、ダイオードの順方向電圧対温度特性の一例を示す。図２は、縦軸が順方向電圧ＶFを、横軸が温度をそれぞれ示し、３０℃〜９０℃の温度範囲内で温度が上昇するほど順方向電圧ＶFが０.５Ｖから０.４Ｖまで直線的に減少する特性を示す。一方、図１のダイオードＤ0のカソードの電位Ｖ2は電圧Ｖ0から順方向電圧ＶFを減じた値である。従って、ダイオードＤ0の順方向電圧ＶFの温度依存性により、ダイオードＤ0のカソードの電位、すなわちコンパレータＵ0の非反転入力端子における電圧Ｖ2も図３に示すような温度依存性を示す。図３は、縦軸が電圧Ｖ2を、横軸が温度をそれぞれ示し、３０℃〜９０℃の温度範囲内で温度が上昇するほど電圧Ｖ2が、例えば１.５Ｖから１.６Ｖまで直線的に増加する特性を示す。
【００２０】
そこで、本実施形態では、ダイオードＤ0の順方向電圧ＶFの温度依存性の影響をできるだけ低減するために、負の温度特性を有する感温抵抗器ＲTを用いる。図４は、感温抵抗器ＲTの温度対抵抗値特性の一例を示す。図４は、縦軸が抵抗値を、横軸が温度をそれぞれ示し、３０℃〜９０℃の温度範囲内で温度が上昇するほど、抵抗値が１ＭΩから１００ｋΩまで直線的に減少する負の温度特性を示す。ここで、コンパレータＵ0の反転入力端子における抵抗分圧電圧Ｖ1は次式で表される。
Ｖ1＝Ｖ0×(Ｒ2＋ＲT)／(Ｒ1＋Ｒ2＋ＲT)
ただし、上式におけるＲ1、Ｒ2、ＲTは同じ符号の抵抗器の抵抗値を示す。
【００２１】
従って、上記の抵抗分圧電圧Ｖ1は、図４に示した感温抵抗器ＲTの温度対抵抗値特性に従い、図５に示すような温度に対する非線形特性を示す。図５は、縦軸が電圧Ｖ1を、横軸が温度をそれぞれ示し、３０℃〜９０℃の温度範囲内で温度が上昇するにつれて電圧Ｖ1が１.５Ｖから１.６Ｖまで非直線的に増加する特性を示す。この図５に示す電圧Ｖ1の温度特性は、図３に示した電位Ｖ2の温度特性に極めて類似している。従って、コンパレータＵ0の非反転入力端子における電位Ｖ2がダイオードＤ0の順方向電圧ＶFの温度依存性に従って変化しても、コンパレータＵ0の反転入力端子における電圧Ｖ1も順方向電圧ＶFの温度依存性とほぼ同様の温度依存性を有するため、コンパレータＵ0の比較動作における温度依存性を排除できる。つまり、コンパレータＵ0は、順方向電圧ＶFの温度依存性による影響を殆ど受けることなく、抵抗分圧電圧Ｖ1とダイオードＤ0の順方向電圧ＶFを利用した参照電圧Ｖ2とを正確に電圧比較することができる。
【００２２】
次に、本実施形態の電圧検出部１３を備える図１の無線センサ端末１０の動作について、図６のタイミングチャートを併せ参照して説明する。
無線センサ端末１０は、入力部１１から入力された交流電圧を整流回路部１２で昇圧及び整流して高電圧の直流電圧に変換してコンデンサＣ0を充電(蓄電)し、充電中のコンデンサＣ0の端子電圧Ｖ0が無線送信部１４による無線送信のための電源電圧として用いることができる所定の電圧以上となったかどうかを電圧検出部１３で検出し、所定の電圧以上となったときに電圧検出部１３から出力される検出電圧で無線送信部１４を動作させて送信信号を無線送信する構成である。無線センサ端末１０からの無線送信信号を受信する受信装置(図示せず)は、受信した信号から無線センサ端末１０に入力された交流電力の値をモニタリングすることができる。なお、その詳細動作は本発明とは無関係であるので省略する。
【００２３】
例えば配電盤に接続された電力線に、コアにコイルが巻回された構造の入力部１１内の電流変換器ＣＴを時刻ｔ1で装着したものとすると、電流変換器ＣＴのコイルに電力線に流れる電流に応じた値の電磁誘導電流が誘起され、その電磁誘導電流が抵抗Ｒ0により交流電圧に変換されて、整流回路部１２内のコッククロフト・ウォルトン回路１５に印加される。コッククロフト・ウォルトン回路１５は、入力交流電圧を昇圧及び整流して得た直流電圧をコンデンサＣ0に印加し、コンデンサＣ0を充電(蓄電)し始める。これにより、図６(Ａ)に示すように、コンデンサＣ0の端子電圧Ｖ0は時刻ｔ1から時間の経過とともにコンデンサＣ0の充電時定数に従って上昇し始める。
【００２４】
すると、端子電圧Ｖ0を抵抗分圧する抵抗Ｒ1、抵抗Ｒ2及び感温抵抗器ＲTからなる抵抗分圧回路から出力される電圧Ｖ1も、図６(Ｂ)に一点鎖線で示すように、時刻ｔ1から時間の経過とともに同様に上昇し始める。また、ダイオードＤ0のカソードの電圧Ｖ2は、図６(Ａ)に破線で示すように、順方向電圧ＶFにより電圧増加は遅れるが、端子電圧Ｖ0が順方向電圧ＶFを超えた時点から電圧増加率が増加して時間の経過とともに上昇していく。
【００２５】
コンパレータＵ0は、非反転入力端子に印加されるダイオードＤ0のカソードの電圧Ｖ2を参照電圧とし、その参照電圧が反転入力端子に印加される抵抗分圧電圧Ｖ1以上であるかどうかを電圧比較しており、参照電圧Ｖ2が抵抗分圧電圧Ｖ1以上となった時刻ｔ2で、図６(Ｂ)に示すように、ハイレベルの検出電圧Ｖ3を出力する。このハイレベルの検出電圧Ｖ3は、無線送信部１４を構成するＭＣＵ１６及び無線ＩＣ１７に動作用の電源電圧として印加され、ＭＣＵ１６及び無線ＩＣ１７の動作を開始させる。
【００２６】
時刻ｔ2からのＭＣＵ１６及び無線ＩＣ１７の動作により電力が消費されるため、コンデンサＣ0の端子電圧Ｖ0は図６(Ａ)に示すように、Ｃ0の放電時定数に従って時刻ｔ2から時間の経過とともに低下していく。すると、それに伴い電圧Ｖ1及びＶ2も時刻ｔ2から低下し始め、コンパレータＵ0の参照電圧Ｖ2が抵抗分圧電圧Ｖ1未満になると、コンパレータＵ0は、ローレベルの検出電圧Ｖ3を出力する。その結果、ＭＣＵ１６及び無線ＩＣ１７は動作用の電源電圧が断たれることとなり、動作を停止する。ここで、参照電圧Ｖ2が抵抗分圧電圧Ｖ1未満になるのは、時刻ｔ2の直後であるので、この動作停止時点でＭＣＵ１６及び無線ＩＣ１７がまだ送信信号の無線送信動作が完了していないことが多く問題である。
【００２７】
そこで、本実施形態では、抵抗Ｒ3及びコンデンサＣ1からなる並列回路をタイマ回路として設け、参照電圧Ｖ2が抵抗分圧電圧Ｖ1未満になるまでの時間を遅らせ、ＭＣＵ１６及び無線ＩＣ１７が送信信号の無線送信動作が完了するのに十分な時間を確保できるようにしている。すなわち、時刻ｔ1から時刻ｔ2の直前までの期間ではダイオードＤ0のカソードの電圧Ｖ2は図６(Ａ)に示すように増加するとともに、ダイオードＤ0の順方向電流によりコンデンサＣ1が充電され、その端子電圧が上昇していく。
【００２８】
その後、時刻ｔ2から端子電圧Ｖ0が低下してコンデンサＣ1の端子電圧未満となると、ダイオードＤ0が逆バイアスされ、コンデンサＣ1の充電電荷が抵抗Ｒ3を介してＣ1の容量値とＲ3の抵抗値で定まる放電時定数に従い放電され始める。その結果、コンデンサＣ1の端子電圧であるダイオードＤ0のカソードの電圧Ｖ2が時間の経過とともに徐々に低下し始め、端子電圧Ｖ0未満になる。その時刻をｔ3とすると、コンパレータＵ0は、時刻ｔ3でローレベルの検出電圧Ｖ3を出力し、ＭＣＵ１６及び無線ＩＣ１７の電源電圧を遮断して動作を停止させる。それにより、時刻ｔ3以降は、図６(Ａ)に示すように、端子電圧Ｖ0が前述した充電時定数に従い再び上昇し始め、それに伴い抵抗分圧電圧Ｖ1、参照電圧Ｖ2も図６(Ａ)に示すように時間の経過とともに上昇していき、またダイオードＤ0の順方向電流によりコンデンサＣ1が充電される。
【００２９】
従って、抵抗Ｒ3及びコンデンサＣ1からなるタイマ回路を設けることで、時刻ｔ2から時刻ｔ3までの期間にわたってＭＣＵ１６及び無線ＩＣ１７の動作を継続させることができる。ここで、タイマ回路のＣ1の容量値とＲ3の抵抗値で定まる放電時定数は、時刻ｔ2から時刻ｔ3までの期間が、ＭＣＵ１６及び無線ＩＣ１７が送信信号の無線送信動作を完了するのに十分な時間長となるように設定されている。
【００３０】
なお、コンパレータＵ0は、Ｖ2がＶ1より大であるときのハイレベルの出力期間はコンパレータＵ0の電源電圧と等しい値の電圧Ｖ3を出力する構成の電圧比較器である。本実施形態は、コンパレータＵ0の電源電圧は端子電圧Ｖ0である。このため、図６(Ｂ)に示すように、コンパレータＵ0の出力電圧Ｖ3は時刻ｔ2から時刻ｔ3までのハイレベルの出力期間は端子電圧Ｖ0の低下と同様に低下していく。従って、出力電圧Ｖ3の値は時刻ｔ3においては時刻ｔ2より低下しているが、時刻ｔ3における出力電圧Ｖ3がＭＣＵ１６及び無線ＩＣ１７が無線送信動作を実行できる電源電圧以上であるようにＶ0の電圧値等が余裕をもって設定されている。
【００３１】
このように、本実施形態では、電圧検出部１３はコンデンサＣ0の端子電圧Ｖ0が所定の電圧以上になったか否かを、消費電力の小さなダイオードＤ0の順方向電圧ＶFを利用した参照電圧を用いて検出する構成としたため、半導体のバンドギャップ電圧を参照電圧とする構成の従来の電圧検出回路と比較して消費電力を低減できる。また、本実施形態では、順方向電圧ＶFの温度依存性の影響は、感温抵抗器ＲTを用いることで、できるだけ低減することができる。
【００３２】
なお、本発明は上記の実施形態に限定されるものではなく、例えば、電圧検出部１３は図７、図８に示す他の例の構成とすることもできる。図７に示す他の例の電圧検出部は、正の温度特性を有する感温抵抗器ＲT1を図１の抵抗Ｒ1の代わりに用いた例である。また、図８に示す更に他の例の電圧検出部は、正の温度特性を有する感温抵抗器ＲT1を図１の抵抗Ｒ1の代わりに用いるとともに、図１に示した感温抵抗器ＲTは削除した例である。
【００３３】
また、本実施形態の電圧検出部１３は、無線送信部１４の送信信号の無線送信動作が完了するまでの期間を確保するために、抵抗Ｒ3及びコンデンサＣ1からなるタイマ回路を用いているが、無線送信部１４が不要な構成の場合は、タイマ回路は不要にできる。
【産業上の利用可能性】
【００３４】
配電盤等に接続された電力線の電力を無線送信部から無線送信して、外部の受信装置により電力をモニタリングさせる無線センサ端末において、電力線の電力から得られる電圧が無線送信部の電源電圧として用いることができる所定の閾値電圧以上となったかどうかを検出する電圧検出回路として利用できる。
【符号の説明】
【００３５】
１０  無線センサ端末
１１  入力部
１２  整流回路部
１３  電圧検出部
１４  無線送信部
１５  コッククロフト・フォルトン回路
１６  マイクロコントロールユニット(ＭＣＵ：Micro Control Unit)
１７  無線ＩＣ(ＲＦＩＣ：Radio Frequency Integrated Circuit)
ＣＴ  電流変換器
Ｃ0   入力電圧保持用コンデンサ
Ｄ0   参照電圧生成用ダイオード
ＲT   感温抵抗器
Ｒ1〜Ｒ3  抵抗
Ｃ1   タイマ回路用コンデンサ
Ｕ0   コンパレータ
【図１】
2015040773.tif 000003
【図２】
2015040773.tif 000004
【図３】
2015040773.tif 000005
【図４】
2015040773.tif 000006
【図５】
2015040773.tif 000007
【図６】
2015040773.tif 000008
【図７】
2015040773.tif 000009
【図８】
2015040773.tif 000010